(57)【要約】      （修正有）【課題】構造が簡易で、使用、収納に便利なで、運動の効果を調整し、上肢、もしくは下肢に対して異なる程度の効果の得られる健康器を提供する。【解決手段】一端が連結部２０によって互いに連結し、他端にそれぞれべース部１２を設けてなる2つの底板１０と、上面に凹状部を形成し、該べース部上に設けられる支持部材と、中空の第1桿体３１と、一端を該第1桿体に挿入して固定する中空の第2桿体３２とによって構成される操作桿３０と、該第2桿体に挿入する複数の重り４０とを含んでなり、該第1桿体一端には、球状を呈し、該べース部の支持部材によって回動自在に支持される挿入部を形成してなり、該第1桿体の該第2桿体を挿入する側の一端にリング状の当止部材３３を設け、該第2桿体にもリング状の当止部材３４を設け、該重りは上面と底面にそれぞれ該第1桿体と第2桿体の当止部が当止する凹溝４１を形成する。【選択図】図１
0003107701.tif 000002
【実用新案登録請求の範囲】
【請求項１】
一端が連結部によって互いに連結し、他端にそれぞれべース部を設けてなる2つの底板と、
上面に凹状部を形成し、該べース部上に設けられる支持部材と、
中空の第1桿体と、一端を該第1桿体に挿入して固定する中空の第2桿体とによって構成される操作桿と、
該第2桿体に挿入する複数の重りとを含んでなり、
該第1桿体一端には、球状を呈し、該べース部の支持部材によって回動自在に支持される挿入部を形成してなり、該第1桿体の該第2桿を挿入する側の一端にリング状の当止部材を設け、該第2桿体にもリング状の当止部材を設け、
該重りは上面と底面にそれぞれ該第1桿体と第2桿体の当止部が当止する凹溝を形成することを特徴とする健康器。
【考案の詳細な説明】
【技術分野】
【０００１】
この考案は、健康器に関し、特に重りをつけて多方向に操作することのできる健康器に関する。
【背景技術】
【０００２】
現在、多く家庭では健康を保つための運動用器材、健康器などを具えるようになってきた。これらは、限られた空間内で使用され、運動の効果を提供するものである。このため、多種多様の室内用の健康器などが市販されている。
【０００３】
但し、市販されている健康器は、いずれも構造が複雑で、且つ高価であるのみならず、これらに共通して言えることは、いずれも体積が大きく、使用時に空間を占め、収納時にも空間を占めるため不便である。
【考案の開示】
【考案が解決しようとする課題】
【０００４】
そこで、従来の製品に見られる上述の欠点を改善するための新規な構造の健康器の開発が望まれている。
【０００５】
よって、この考案は、構造が簡易で、使用、収納に便利な健康器を提供することを課題とする。
【０００６】
また、この考案は、身体の各部位の運動について運動効果の得られる健康器を提供することを課題とする。
【０００７】
また、この考案は、運動の効果を調整し、上肢、もしくは下肢に対して異なる程度の効果の得られる健康器を提供することを課題とする。
【課題を解決するための手段】
【０００８】
そこで、本考案の発明者は従来の技術に見られる欠点に鑑みて鋭意研究を重ねた結果、底板と、該底板に設けられるべース部、支持部材を介して該回動自在に支持される2組の操作桿とを含んでなり、該操作桿を第1桿体と該第1桿体に一端を挿入する第2桿体とによって構成し、かつ該第1桿体に重りを設け、該操作桿を手で多方向に動かして運動の効果を得るように構成してなる健康器の構造によって課題を解決できる点に着眼し、かかる知見に基づいて本考案を完成させた。
【０００９】
以下、この考案について具体的に説明する。
請求項1に記載する健康器は、一端が連結部によって互いに連結し、他端にそれぞれべース部を設けてなる2つの底板と、
上面に凹状部を形成し、該べース部上に設けられる支持部材と、
中空の第1桿体と、一端を該第1桿体に挿入して固定する中空の第2桿体とによって構成される操作桿と、
該第2桿体に挿入する複数の重りとを含んでなり、
該第1桿体一端には、球状を呈し、該べース部の支持部材によって回動自在に支持される挿入部を形成してなり、該第1桿体の該第2桿を挿入する側の一端にリング状の当止部材を設け、該第2桿体にもリング状の当止部材を設け、
該重りは上面と底面にそれぞれ該第1桿体と第2棒体の当止部が当止する凹溝を形成する。
【考案の効果】
【００１０】
この考案の健康器は、構造が簡易で、使用、収納に便利であるとともに、使用者の好みに合わせて重りを調節し、異なるレベルの手や脚の運動をすることができるという利点を有する。
【考案を実施するための最良の形態】
【００１１】
この考案は、重りを組み合わせ、多方向に操作することができる健康器を提供するものであって、底板と、該底板に設けられるべ一ス部、支持部材を介して該回動自在に支持される2組の操作桿とを含んでなり、該操作桿を第1桿体と該第1桿体に一端を挿入する第2桿体とによって構成し、かっ該第1桿体に重りを設け、該操作桿を手で多方向に動かして運動の効果を得るように構成する。
かかる健康器の構造と特徴を詳述するために具体的な実施例を挙げ、図示を参照にして以下に説明する。
【実施例】
【００１２】
図1から図3に、この考案による健康器を開示する。図面によれば、2つの底板10と、該2つの底板10を連結する連結部20と、該底板10の一端に設けられるべース部12と、上面に凹状部を形成してなり、該べース部12の上に設けられる支持部材121と、該支持部材121の上方に設けられる2組の操作桿30と、複数の重り40とを含んでなる。
【００１３】
該操作桿30は、中空の第1桿体31と、中空の第2桿体32とを組み立てて構成する。該第1桿体31の一端には、球状を呈し、該べース部12の支持部材121によって360°回動自在に支持される挿入部311を形成する。また、該第1桿体31は、挿入部311に支持される一端とは別の一端にリング状の当止部材33を設ける。第2桿体32は一端を第1操桿体31に挿入して、第1桿体31内に固定する。また、該第2桿体32にもリング状の当止部材34を設ける。
【００１４】
複数の重り40は、中空で、かつ中央に貫通孔42を有するリング状に射出成型してなり、上面と底面にそれぞれ凹溝部41を形成する。該貫通孔42は、第2桿体32を貫通させるために供する。また、重り40の上面と底面に形成された凹溝41は、第2桿体32と、第1桿体31の当止部34,33を収納するために供する。
【００１５】
この考案による健康器の使用態様を図4から図8に開示する。腕の部分を鍛える場合は、使用者が操作桿30の第2桿体32の一端を手で握り、手で操作桿を押すように動かすと、第1桿体31の挿入部311がべース部12の連結部121内に回転動自在に支持されているため、(図4参照)360°白由に回転して腕の部分の筋肉と上半身を鍛えることができる。同時に、操作桿30は使用時の抵抗力や重力になるように重り40の内部に水や砂などを充填して、使用者があらゆる角度や方向の運動、筋肉の負荷運動を行えるようにする。このため、明らかな運動効果が得られる。
【００１６】
また、図8に開示するように、両第2操作桿32を連結して構造を強化した実施形態にしてもよい。
【００１７】
以上は、この考案の好ましい実施例であって、この考案の実施の範囲を限定するものではない。よって、当業者のなし得る修正、もしくは変更であって、この考案の精神の下においてなされ、この考案に対して、均等の効果を有するものは、いずれもこの考案の実用新案登録請求の範囲に属するものとする。
【図面の簡単な説明】
【００１８】
【図１】この考案の健康器の分解説明図である。
【図２】図1に開示する健康器の斜視図である。
【図３】図1に開示する健康器の一部断面図である。
【図４】図1に開示する健康器の使用態様を示した説明図である。
【図５】図1に開示する健康器の他の使用態様を示した説明図である。
【図６】図1に開示する健康器の動作を示した説明図である。
【図７】図1に開示する健康器のその他の使用態様を示した説明図である。
【図８】この考案による健康器の他の実施形態を示した斜視図である。
【符号の説明】
【００１９】
１０  底板
１２  べース部
２０  連結部
３０  操作桿
３１  第１桿体
３２  第２桿体
３３  当止部
３４  当止部
４０  重り
４１  凹溝
４２  貫通孔
１２１  連結部
【図１】
0003107701.tif 000003
【図２】
0003107701.tif 000004
【図３】
0003107701.tif 000005
【図４】
0003107701.tif 000006
【図５】
0003107701.tif 000007
【図６】
0003107701.tif 000008
【図７】
0003107701.tif 000009
【図８】
0003107701.tif 000010